(57)【要約】【課題】  通話装置１１の取付位置に外部から塵埃や煙が進入しない気密性を有するエレベータの三方枠４を得る。【解決手段】  エレベータの三方枠４の縦枠５に収納された通話装置１１の収納部位に形成された開口１２を通話装置用扉１５で覆い、この通話装置用扉１５に通音孔１６を穿設して周囲にスペーサ１７を巡らせて包囲し、このスペーサ１７の厚み相当分空隙を隔てて通音孔１６を背面側から覆う共に、通話装置１１から発せられる音声に共鳴して通音孔１６を介して共鳴音を外部に伝えるフィルム状の共鳴板１８とを備えたものである。【選択図】        図２
2005178955.tif 000002
【特許請求の範囲】
【請求項１】
エレベータの乗場出入口の一側に立設された縦枠の背面側に、かご内と通話する通話装置が収納され、上記通話装置収納部位の上記縦枠に開口が形成されると共に上記開口を通話装置用扉で覆うようにしたエレベータの三方枠において、上記通話装置から発せられる音声を上記乗場へ伝えるために上記通話装置用扉に穿設された通音孔と、上記通話装置用扉の背面に取り付けられて上記通音孔を包囲するスペーサと、このスペーサに取り付けられて空隙を隔てて上記通音孔を上記背面側から覆うと共に、上記通話装置から発せられる上記音声に共鳴して上記通音孔を介して共鳴音を外部に伝えるフィルム状の共鳴板とを備えたエレベータの三方枠。
【請求項２】
通話装置用扉を閉じたときに、縦枠の開口縁部の背面に固着されて上記開口側へ突出した縁取板に上記通話装置用扉の周縁部背面を当接させて上記通話装置用扉と縦枠の表面を面一状にしたことを特徴とする請求項１に記載のエレベータの三方枠。
【請求項３】
エレベータの乗場出入口の一側に立設された縦枠の背面部に、乗場に居る人に音声で知らせる通報装置が収納されたエレベータの三方枠において、上記通報装置から発せられる音声を上記乗場へ伝えるために上記縦枠に穿設された通音孔と、上記縦枠の背面に取り付けられて上記通音孔を包囲するスペーサと、このスペーサに取り付けられて空隙を隔てて上記通音孔を上記背面側から覆う共に、上記通話装置から発せられる上記音声に共鳴して上記通音孔を介して共鳴音を外部に伝えるフィルム状の共鳴板とを備えたエレベータの三方枠。
【発明の詳細な説明】
【技術分野】
【０００１】
この発明は、かご内と通話する通話装置が、乗場出入口の一側に立設された縦枠に収納されたエレベータの三方枠に係る。
【背景技術】
【０００２】
従来、管理人室が無人化された建物では、エレベータのかご内から外部に通報する通報装置がエレベータの乗場に露出状態で取り付けられることもあった（例えば、特許文献１参照）。
このような露出状態では、乗場の美観を害すると共に、通行障害となったり、運搬中の荷物等に接触して通報装置が破損することがあった。
そこで、エレベータの乗場の側壁に設置される乗場インジケータ内にブザーを収納し、乗場インジケータのカバーに切抜き穴を形成する。この切抜き穴を中カバーで覆う。この中カバーの外側には蜂の巣状に音抜き穴が形成された案内板が設けられ、更に、同様に蜂の巣状に音抜き穴が形成されたカバーで覆う。これにより、ブザーの鳴動音を外部に報知することができると共に、乗場インジケータの表面に吹き付ける雨水が内部に侵入するのを阻止するようにしたものもある（例えば、特許文献２参照）。
上記文献を鑑みると、管理人室が無人化された建物における従来のエレベータの三方枠として、ブザーが収納された上記乗場インジケータを三方枠の縦枠に収納したものが考えられる。
【０００３】
【特許文献１】特開平７−１７２７１９号公報（段落番号８、図２）
【特許文献２】特開平７−２４２３７５号公報（段落番号２６、２７、図１〜図３）
【発明の開示】
【発明が解決しようとする課題】
【０００４】
上記のとおり、従来のエレベータの三方枠として、例えば、特許文献２に開示されたブザーを縦枠に収納した三方枠を想定した場合、三方枠の外部とブザーが取り付けられている三方枠の内部、更に乗場インジケータの内部とは、音抜き穴及び切抜き穴を介して通じている。このため、外部から塵埃が進入してブザーの鳴動が妨げらる、という問題があった。
【０００５】
この発明は、上記問題点を解決するためになされたものであり、三方枠に通話装置を収納すると共に、通話装置の取付位置に外部から塵埃や煙等が進入しない気密性を有するエレベータの三方枠を提供することを目的とする。
【課題を解決するための手段】
【０００６】
この発明に係るエレベータの三方枠は、縦枠に収納された通話装置の収納部位に形成された開口を通話装置用扉で覆い、この通話装置用扉に通音孔を穿設して周囲にスペーサを巡らせて包囲し、このスペーサの厚み相当分空隙を隔てて通音孔を背面側から覆う共に、通話装置から発せられる音声に共鳴して通音孔を介して共鳴音を外部に伝えるフィルム状の共鳴板とを備えたものである。
【発明の効果】
【０００７】
この発明は上記のとおり構成されているので、以下の効果を奏する。
エレベータの三方枠の縦枠に収納された通話装置の収納部位に形成された通音孔の周囲を包囲するようにスペーサを取り付け、このスペーサの厚み相当分空隙を隔てて共鳴板を取り付けて通音孔を背面側から覆うようにしたので、外部から塵埃が進入するのを阻止することができると共に、通話装置から発せられる音声を外部に伝えることもできる、という効果も奏する。
また、通音孔を共鳴板で覆ったので、火災時に通音孔から乗場の煙が昇降路へ侵入するのを阻止することができる、という効果も奏する。
【発明を実施するための最良の形態】
【０００８】
以下、図面を参照して、この発明の実施の形態について説明する。なお、各図中、同一又は相当する部分には同一符号を付し、説明の重複を省いた。
実施の形態１．
図１から図４は、この発明の実施の形態１を示す。
図１は、エレベータの乗場の正面図である。図において、乗場床１には昇降路を仕切る側壁２が立設されている。この側壁２には乗場出入口３が形成されており、三方枠４が取り付けられている。この三方枠４で仕切られた出入口６には、乗場戸６が設けられている。また、三方枠４を構成する一側の縦枠５には、かごの到着を知らせるホールランタン７と通話装置用扉１５が取り付けられている。
【０００９】
図２は、通話装置用扉１５が設けられた部分の縦枠５の詳細を示す斜視図である。
縦枠５の背面側には収納箱１０が設けられ、この収納箱１０にかご内と通話する通話装置１１が収納されている。この通話装置１１が収納された部位の縦枠５には開口１２が形成されている。縦枠５の開口１２縁部の背面には縁取板１３が固着されて開口１２側へ突出している。このため、通話装置用扉を閉じると通話装置用扉１５の周縁部背面が縁取板１３に当接して通話装置用扉１５と縦枠５の表面が面一状になる。
【００１０】
収納箱１０の側壁と通話装置用扉１５の一側の間には、ヒンジ金具２０が取り付けられていて、取っ手２１を摘んで通話装置用扉１５を自在に開閉することができるようになっている。また、通話装置用扉１５を閉じたときは、磁石からなる固定具２２が通話装置用扉１５の背面を吸引して固定するようになっている。
通話装置用扉１５には通音孔１６が明けられ、スペーサ１７と共鳴板１８と押え枠１９がスタッドボルト２３とナット２４によって取り付けられている。詳細を図３に示す。
【００１１】
図３は、通話装置用扉１５を分解した斜視図である。通話装置用扉１５には通話装置１１から発せられる呼出音等の音声を乗場へ伝えるために通音孔１６が蜂の巣状に穿設されている。この通音孔１６を包囲するように通話装置用扉１５の背面には枠状のスペーサ１７が取り付けられている。このスペーサ１７を介して空隙を隔ててフィルム状の共鳴板１８が通話装置用扉１５の背面側に取り付けられていて、通音孔１６を背面側から覆っている。また、共鳴板１８はフィルム状であるから、通話装置１１から発せられる音声に共鳴して通音孔１６から共鳴音を外部に伝えることができる。
通話装置用扉１５の背面には、通音孔１６を囲む位置にスタッドボルト２３が４本植設されている。スペーサ１７、共鳴板１８及び押え枠１９の四隅に明けられた取付孔にスタッドボルト２３が挿通され、ナット２４の螺合によって緊締されるようになっている。
【００１２】
図４は、図１に示すＩＶ−ＩＶ線断面を矢視した断面図である。図４に従って補足すると、縁取板１３は収納箱１０の開口１２側の端縁を屈曲したものである。この縁取板１３の背面には、Ｌ字状に屈曲した取付金２２ａが固着されている。この取付金２２ａに固定具２２が取り付けられている。通話装置用扉１５は、常時閉じられていて固定具２２に吸引されて固定されている。
通話装置１１から呼出音が発せられると、共鳴板１８が共鳴して振動して通音孔１６を介して外部に伝える。乗場床１に居合わせる建物の在館者は、取っ手２１を摘んで通話装置用扉１５を開き、通話装置１１を取り出してかご内と通話をする。
用済み後は、通話装置１１を収納箱１０内へ納めた後、通話装置用扉１５を閉じる。
【００１３】
上記実施の形態１によれば、通話装置１１が収納された部位に形成された開口１２を通話装置用扉１５で開閉自在に覆うようにしたので、通話装置用扉１５を図４に符号１５'で示したとおり開くことにより、通話装置１１を符号１１'で示したとおり容易に外部に取り出して、かご内と通話することができる。
また、スペーサ１７の厚み相当分空隙を隔てて共鳴板１８を取り付けて通音孔１６を背面側から覆うようにしたので、外部から塵埃が進入するのを阻止することができると共に、通話装置１１から発せられる音声を外部に伝えることもできる。乗場床１に居合わせる建物の在館者は、呼出音を容易に聞き取ることができる。
【００１４】
実施の形態２．
この実施の形態２は、外部から収納箱１０内への塵埃阻止を更に高めたものである。
図５は、この実施の形態２を示す。図において、縦枠５の開口１２の縁部背面には縁取板１３に加えて、ヒンジ金具２０側にもＬ字状に屈曲した縁取板２０ａが固着されていて、開口１２側へ突出している。ヒンジ金具２０は縁取板２０ａに取り付けられるので収納箱１０の奥行方向へ板厚相当だけ後退する。この後退寸法相当の板厚を有する座金２０ｂを介してヒンジ金具２０を通話装置用扉１５の背面に取り付けてある。
このため、通話装置用扉１５を閉じると通話装置用扉１５の周縁部背面が縁取板１３及び２０ａに当接して通話装置用扉１５と縦枠５の表面が面一状になると共に、上下左右の通話装置用扉１５と縦枠５との隙間が縁取板１３及び２０ａに塞がれて、外部と収納箱１０内とを更に密に遮蔽することができる。
【００１５】
実施の形態３．
この実施の形態３は、通報装置が内設され、かつ、乗場側から開閉することができる扉が装着されていない三方枠に係るものである。
図６及び図７は、この発明の実施の形態３を示し、図６は、エレベータの乗場の正面図、図７は、図６に示すＶＩＩ−ＶＩＩ線断面を矢視した断面図である。
図６において、三方枠４の縦枠５には、収納箱３０に納められた通報装置３１、例えば、チャイム、スピーカ、インターホン子機等が内設されている部位に通音孔２６が穿設されている。
この通音孔１６を包囲するように縦枠５の背面には枠状のスペーサ２７が取り付けられている。このスペーサ２７の厚さによる空隙を隔ててフィルム状の共鳴板２８が縦枠５の背面側に取り付けられていて、通音孔２６を背面側から覆っている。また、共鳴板２８はフィルム状であるから、通報装置３１から発せられる音声に共鳴して通音孔２６から共鳴音を外部に伝えることができる。
また、縦枠５の背面には、通音孔２６を囲む位置にスタッドボルト３３が４本植設されている。スペーサ２７、共鳴板２８及び押え枠２９、更に収納箱３０の四隅に明けられた取付孔にスタッドボルト３３が挿通され、ナット３４の螺合によって緊締されるようになっている
【００１６】
この実施の形態３によれば、スペーサ２７の厚み相当分空隙を隔てて共鳴板２８を取り付けて通音孔２６を背面側から覆うようにしたので、通報装置３１から発せられた音声を乗場にいる人に伝えることができる。
また、通音孔２６を共鳴板２８で覆ったので、通報装置３１内へ塵埃が侵入するのを阻止したり、又は火災時に通音孔２６から乗場の煙が昇降路内へ侵入するのを阻止することもでき、気密性を向上させることができる。
【図面の簡単な説明】
【００１７】
【図１】この発明の実施の形態１におけるエレベータの乗場の正面図。
【図２】この発明の実施の形態１におけるエレベータの三方枠４の縦枠５の通話装置用扉１５が設けられた部分の斜視図。
【図３】この発明の実施の形態１における通話装置用扉１５を分解した斜視図。
【図４】図１に示すＩＶ−ＩＶ線断面を矢視した通話装置１１収納部分の縦枠５の横断面図。
【図５】この発明の実施の形態２における通話装置１１収納部分の縦枠５の横断面図。
【図６】この発明の実施の形態３におけるエレベータの乗場の正面図。
【図７】図６に示すＶＩＩ−ＶＩＩ線断面を矢視した通報装置３１収納部分の縦枠５の横断面図。
【符号の説明】
【００１８】
１  乗場床、  ２  側壁、  ３  乗場出入口、  ４  三方枠、  ５  縦枠、  ６  乗場戸、  ７  ホールランタン、  １０  収納箱、  １１  通話装置、  １２  開口、  １３  縁取板、  １５  通話装置用扉、  １６  通音孔、  １７  スペーサ、  １８  共鳴板、  １９  押え板、  ２０  ヒンジ金具、  ２０ａ  縁取板、  ２０ｂ  座金、  ２１  取っ手、  ２２  固定具、  ２２ａ  取付金、  ２３  スタッドボルト、  ２４  ナット、  ２６  通音孔、  ２７  スペーサ、  ２８  共鳴板、  ２９  押え板、  ３０  収納箱、  ３１  通報装置、  ３３  スタッドボルト、  ３４  ナット。
【図１】
2005178955.tif 000003
【図２】
2005178955.tif 000004
【図３】
2005178955.tif 000005
【図４】
2005178955.tif 000006
【図５】
2005178955.tif 000007
【図６】
2005178955.tif 000008
【図７】
2005178955.tif 000009